(57)【特許請求の範囲】
【請求項１】
第１のオ−デイオデ−タを含む第１のオ−デイオパツクと、
前記オ−デイオデ−タに関するビデオデ−タを含むビデオパツク（Ｖパツク）と、
前記第１のオ−デイオパツク及びビデオパツク（Ｖパツク）内のデ−タの再生を管理するための再生管理情報を含むＤＶＤビデオ規格のナビゲ−シヨンパツクと、
前記ビデオパツク内のビデオデ−タ及び第１のオ−デイオパツク内のオ−デイオデ−タを管理する情報を含む第１の管理エリア（ＶＭＧＩ）と、
第２のオ−デイオデ−タであつて前記第１の管理エリア（ＶＭＧＩ）に管理されないオ−デイオデ−タを含む第２のオ−デイオパツクと、
前記第１のオ−デイオパツク内のオ−デイオデ−タ及び第２のオ−デイオパツク内のオ−デイオデ−タを管理する情報を含む第２の管理エリア（ＡＭＧＩ）と、
前記オ−デイオデ−タからなる楽曲の頭出しを行うためのプレイポインタテ−ブルインフオメ−シヨン（ＳＡＰＰ  ＴＩ）、及び前記楽曲を構成する楽章（トラツク）毎に頭出しを行うためのアドレス情報と、さらに、前記楽章が終了するアドレス情報とを含む複数のシンプルオ−デイオプレイポインタ（ＳＡＰＰ＃１〜＃ｎ。ただし、ｎは、正の整数）により構成されるＴＯＣ情報であつて、前記各シンプルオ−デイオプレイポインタは前記楽章のオ−デイオデ−タのサンプリング周波数と量子化ビツト数と、さらに前記楽章のポ−ズ時間とを含むＴＯＣ情報と、
を所定のフオ−マツトにより記録する記録方法。
【発明の詳細な説明】
【０００１】
【発明の属する技術分野】
本発明は、オーディオディスクに関し、特にＤＶＤのフォーマットを利用したデータ構造のオーディオディスクへの記録方法に関する。
【０００２】
【従来の技術】
従来のオーディオ再生用光ディスクとしてはＣＤ（コンパクトディスク）が知られている。また、ＣＤより高密度な光ディスクとしてＤＶＤ（デジタルビデオディスク）が知られている。
【０００３】
【発明が解決しようとする課題】
しかしながら、ＤＶＤ（以下、ＤＶＤ−ビデオ）ではビデオ信号が主、オーディオ信号が従として記録されるので、次のような問題点がある。
（１）オーディオ信号がビデオ信号と一体化されており、オーディオ信号の記録容量が少ない。
（２）オーディオ信号の時間を管理することができない。
（３）曲名などの簡単な文字情報を取り出すことができない。
【０００４】
また、ビデオに比べて、オーディオのユーザは使い方の層が幅広いので、ＣＤのようにＴＯＣ（テーブルオブコンテンツ）の領域を設けることにより簡易な再生方法が求められる。しかしながら、ＤＶＤ−ビデオでは、ナビゲーションコントロールパック（ＣＯＮＴパック）と複数のビデオ（Ｖ）パック及びオーディオ（Ａ）パックによりビデオコンテンツブロックユニットを構成してＶ、Ａパックの再生などをＣＯＮＴパックにより制御するので、オーディオ信号を主として記録しようとしてもユーザにとって簡易に再生することができず、使い勝手が悪いという問題点がある。
【０００５】
また、ＤＶＤ−ビデオでは、時間管理をビデオフレーム単位でのみ行うので、オーディオ信号を主として記録しようとしても、ビデオに比べてオーディオ信号は連続性が重要であるので実時間の管理が困難であるという問題点がある。
【０００６】
本発明は上記問題点に鑑み、オーディオ信号を主として記録する場合にユーザにとって簡易に再生することができて使い勝手を良くするデータ構造のオーディオディスクへの記録方法を提供することを目的とする。
本発明はまた、オーディオ信号を主として記録する場合に実時間の管理を簡単にすることができるデータ構造のオーディオディスクへの記録方法を提供することを目的とする。
本発明はまた、オーディオ信号を主として記録する場合にＤＶＤビデオディスクプレーヤが再生可能なデータ構造のオーディオディスクへの記録方法を提供することを目的とする。
本発明はまた、オーディオ信号を主として記録する場合にＴＯＣ（テーブルオブコンテンツ）情報により簡易再生を行うことができるデータ構造のオーディオディスクへの記録方法を提供することを目的とする。
【０００７】
【課題を解決するための手段】
本発明は上記目的を達せするために、以下の手段より成る。
すなわち、
第１のオ−デイオデ−タを含む第１のオ−デイオパツクと、
前記オ−デイオデ−タに関するビデオデ−タを含むビデオパツク（Ｖパツク）と、
前記第１のオ−デイオパツク及びビデオパツク（Ｖパツク）内のデ−タの再生を管理するための再生管理情報を含むＤＶＤビデオ規格のナビゲ−シヨンパツクと、
前記ビデオパツク内のビデオデ−タ及び第１のオ−デイオパツク内のオ−デイオデ−タを管理する情報を含む第１の管理エリア（ＶＭＧＩ）と、
第２のオ−デイオデ−タであつて前記第１の管理エリア（ＶＭＧＩ）に管理されないオ−デイオデ−タを含む第２のオ−デイオパツクと、
前記第１のオ−デイオパツク内のオ−デイオデ−タ及び第２のオ−デイオパツク内のオ−デイオデ−タを管理する情報を含む第２の管理エリア（ＡＭＧＩ）と、
前記オ−デイオデ−タからなる楽曲の頭出しを行うためのプレイポインタテ−ブルインフオメ−シヨン（ＳＡＰＰ  ＴＩ）、及び前記楽曲を構成する楽章（トラツク）毎に頭出しを行うためのアドレス情報と、さらに、前記楽章が終了するアドレス情報とを含む複数のシンプルオ−デイオプレイポインタ（ＳＡＰＰ＃１〜＃ｎ。ただし、ｎは、正の整数）により構成されるＴＯＣ情報であつて、前記各シンプルオ−デイオプレイポインタは前記楽章のオ−デイオデ−タのサンプリング周波数と量子化ビツト数と、さらに前記楽章のポ−ズ時間とを含むＴＯＣ情報と、
を所定のフオ−マツトにより記録する記録方法。
【０００８】
【発明の実施の形態】
以下、図面を参照して本発明の実施の形態を説明する。図１はＤＶＤ−ビデオのフォーマットと、本発明に適用されるＤＶＤ−オーディオのフォーマットの一実施形態を示す説明図、図２は図１のオーディオコンテンツブロックユニットを示す説明図、図３は図２のオーディオパックとビデオパックのフォーマットを詳しく示す説明図、図４は図２のオーディオコントロールパックのフォーマットを詳しく示す説明図、図５は図４のオーディオキャラクタディスプレイ（ＡＣＤ）エリアのフォーマットを詳しく示す説明図、図６は図５のネームスペース情報により表示される例を示す説明図、図７は図４のオーディオサーチデータエリアのフォーマットを詳しく示す説明図、図８は図１のオーディオコンテンツブロックユニットの他の構成例を示す説明図である。
【０００９】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応してオーディオマネージャ（ＡＭＧ）と、それに続く複数のオーディオタイトルセット（ＡＴＳ）の各エリアにより構成されている。
【００１０】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
【００１１】
ＶＣＢＳの各々は複数のＶＣＢにより構成され、他方、ＡＣＢＳ（タイトルセット）の各々は複数のＡＣＢにより構成されている。ＶＣＢの各々はビデオの１タイトル（Ｔｉｔｌｅ）分であり、ＡＣＢの各々はこれに対応してオーディオの１タイトル（Ｔｉｔｌｅ）分である。ＶＣＢの各々（１タイトル）は複数のチャプタにより構成され、他方、ＡＣＢの各々（１タイトル）はこれに対応して複数のトラックにより構成されている。チャプタ（Ｃｈａｐｔｅｒ）とトラック（Ｔｒａｃｋ）の各々は共にパートオブタイトル（ＰＴＴ）を含む。
【００１２】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００１３】
ＶＣＢユニットの各々は、先頭のナビゲーションコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００１４】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００１５】
そして、図２に示すようにＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００１６】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Group of Audio Frame単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００１７】
隣接するＡパックは、オーディオ信号が互いに関連するように配置され、例えばステレオの場合にはＬチャネルパックとＲチャネルパックが隣接して配置され、また、５チャネルのマルチチャネルの場合にも同様に隣接して配置される。Ｖパックはオーディオ信号の再生時に映像を表示する場合にそのＡパックに隣接して配置される。ＡパックとＶパックは、図３に示すように２０３４バイトのユーザデータ（Ａデータ、Ｖデータ）に対して４バイトのパックスタート情報と、６バイトのＳＣＲ（System Clock Reference：システム時刻基準参照値）情報と、３バイトMux rate（Multiplex rate：プログラム・ストリームの多重化速度）情報と１バイトのスタッフィングの合計１４バイトが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００１８】
これに対し、Ａ−ＣＯＮＴパックは図４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリーム（sub stream）ＩＤと、図５に詳しく示すような６３６バイトのＡＣＤ（オーディオキャラクタディスプレイ）情報と、３６０バイトの保留エリア（reservedと示すこともある）により構成されている。ＡＳＤパケットは同じく６バイトのパケットヘッダ及び１バイトのサブストリームＩＤと、図７に詳しく示すような１０００バイトのＡＳＤ（オーディオサーチデータ）により構成されている。
【００１９】
６３６バイトのＡＣＤ情報エリアは、図５に詳しく示すように４８バイトのジェネラル情報エリアと、第１の言語の文字「１」及び第２の言語の文字「２」毎に２９４バイトのエリアを有し、この各エリアは９３バイトのネームスペースエリア、各々９３バイトの２つのフリースペースエリアと１５バイトのデータポインタエリアにより構成されている。第１の言語の文字「１」と第２の言語の文字「２」の一方のネームスペースエリアには例えば図６に示すように楽曲名を日本語で表示するためのデータが配置され、他方のネームスペースエリアには英語で表示するためのデータが配置される。なお、この表示言語はディスク発行元が決定してよい。
【００２０】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー（必須）、ビットマップはオプション（随意）である。１２バイトの言語コード情報はビデオファイルと同様に文字「１」「２」の言語をそれぞれ２バイトで示し、１ファイル中最大８言語分を示す。英語はマンダトリーである。
【００２１】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図５に示すフリースペース「１」「２」、データポインタの有無、ＩＤを示す。ネームスペースはマンダトリーであり、タイトルネーム、ミュージックネーム、アーティストネームは必ず記述する。
【００２２】
１０００バイトのＡＳＤ（オーディオサーチデータ）は、図７に詳しく示すように１６バイトのジェネラル情報と、８バイトの現在の番号情報と、１６バイトの現在時刻情報と、８バイトのタイトルセットサーチ情報と、８バイトのタイトルサーチ情報と、４０４バイトのトラックサーチ情報と、４０８バイトのインデックスサーチ情報と、８０バイトのハイライトサーチ情報と、５２バイトの保留エリアにより構成されている。
【００２３】
８バイトの現在の番号情報は、タイトルセットの現在のタイトル番号（２バイト：ＢＣＤ）と、タイトルセットの現在のトラック番号（２バイト：ＢＣＤ）と、トラックの現在のインデックス番号（２バイト：ＢＣＤ）と保留領域（２バイト）により構成されている。１６バイトの現在時刻情報は、トラックのプレイバック時間（４バイト：ＢＣＤ）と、トラックの残りのプレーバック時間（４バイト：ＢＣＤ）と、タイトルの絶対時間（４バイト：ＢＣＤ）とタイトルの残りの絶対時間（４バイト：ＢＣＤ）により構成されている。
【００２４】
８バイトのタイトルセットサーチ情報は、タイトルセットの最初のセクタ番号（４バイト）と、タイトルセットの最後のセクタ番号（４バイト）により構成されている。８バイトのタイトルサーチ情報は、タイトルの最初のセクタ番号（４バイト）と、タイトルの最後のセクタ番号（４バイト）により構成されている。４０４バイトのトラックサーチ情報は、タイトルのトラック及びセクタ番号（４バイト×９９）と、タイトルの最初のトラック番号（４バイト）とタイトルの最後のトラック番号（４バイト）により構成されている。
【００２５】
４０８バイトのインデックスサーチ情報は、トラックのインデックス及びセクタ番号（４バイト×１００）と、トラックの最初のインデックス番号（４バイト）とトラックの最後のインデックス番号（４バイト）により構成されている。８０バイトのハイライトサーチ情報は、トラックのインセクタ番号（４バイト×１０）とトラックのアウトセクタ番号（４バイト×１０）により構成されている。
【００２６】
このようなフォーマットによれば、複数のＡパックの先頭に、ＣＤのＴＯＣ情報のように後続のＡパックのオーディオ信号を管理するためのＡ−ＣＯＮＴパックが配置されるので、オーディオデータはビデオデータなどとは一体化されず、記録容量を多くすることができる。また、Ａ−ＣＯＮＴパックによりオーディオ時間を管理することができ、また、Ａ−ＣＯＮＴパックによりオーディオデータに関する曲名などの簡単な文字情報を取り出すことができる。
【００２７】
また、Ａ−ＣＯＮＴパック内にタイトル、スタートアドレス、演奏時間などのＴＯＣ情報を配置するので、オーディオ再生中であってもユーザの操作に応じた情報をＡ−ＣＯＮＴパックから取り出して再生を開始することができる。また、オーディオマネージャインフォメーション（ＡＭＧＩ）とオーディオタイトルセットインフォメーション（ＡＴＳＩ）内にＴＯＣ情報を配置することにより、必要なＴＯＣ情報を再生器内のメモリに記憶させて、ユーザの操作に応じた情報をメモリから即座に読み出して再生を開始することができる。また、ＤＶＤ−ビデオにおけるプログラムチェーンインフォメーション（ＰＧＣＩ）のような大きな容量の情報を記憶する必要がないので、ディスクを効率的に管理することができる。
【００２８】
さらに、
１．コンテンツ内に画像（Ｖ）データがない場合、
（１）タイトル、楽章、インデックスの３階層に対するサーチ、ランダムアクセスが可能になる。
（２）ＧＯＦ（オーディオフレーム）単位の頭出し、タイムサーチ、ランダムアクセスが可能になる。
（３）タイトル、楽章、インデックスの時間を実時間で管理することができる。
【００２９】
また、
２．コンテンツ内に画像（Ｖ）データがある場合、
オーディオデータに関しては、
上記（１）〜（３）の他に、
（４）タイトル、楽章中の現在時間、残り時間を実時間で表示、管理することができる。
ビデオデータに関しては、
（１）タイトル、ＰＴＴ、セルの３階層に対するサーチ、ランダムアクセスが可能になる。
（２）ビデオフレーム単位の頭出し、タイムサーチ、ランダムアクセスが可能になる。
（３）タイトル、ＰＴＴ、セルの時間を実時間で管理することができる。
（４）ＰＴＴ又はタイトル中の現在時間、残り時間をビデオフレーム単位時間で表示、管理することができる。
【００３０】
なお、図１（ｂ）のＡＣＢＵではＡ−ＣＯＮＴとＣＯＮＴを含んでいるが図８に示すように、ＶパックとＣＯＮＴを含まないように構成してもよい。この場合は、ビデオ信号は記録されないが、オーディオ信号の記録容量が割り増しになる特徴があり、ディスクサイズを小型にでき、また再生機能が簡略にできるのでポータブル用の再生装置に適するものを提供できる。
【００３１】
次に、第２の実施形態について説明する。図９は第２の実施形態のＡＣＢＵ及びＶＣＢＵを示し、図１０は第２の実施形態のＡＣＤ（オーディオキャラクタディスプレイ）情報の他の例を示し、図１１は第２の実施形態のＡＳＤ（オーディオサーチデータ）を示し、図１２は図９のＣＯＮＴパックを詳しく示し、図１３は図１２のＰＣＩデータを詳しく示し、図１４は図１３のＰＣＩ一般情報を詳しく示し、図１５は図１３の記録情報を詳しく示し、図１６は図１２のＤＳＩを詳しく示し、図１７は図１６のＤＳＩ一般情報を詳しく示し、図１８は図１６のシームレス再生情報を詳しく示し、図１９は図１６のシームレス用アングル情報によるシームレス・アングル変更の概念を示し、図２０は図１６のＶＯＢＵサーチ情報の一例を示し、図２１は図１６のＶＯＢＵサーチ情報を詳しく示し、図２２は図１６の同期情報を詳しく示している。
また、図２３は第１、第２の実施形態のリードインエリアの構成を示し、図２４は図２３のコントロールデータブロックを詳しく示し、図２５は図２４のフィジカル・フォーマット・インフォメーションを詳しく示している。
【００３２】
ところで、上記第１の実施形態では、オーディオプレーヤがＡパックの再生を制御するために、図７に詳しく示すＡ−ＣＯＮＴパック内のＡＳＤ（オーディオサーチデータ）を用いており、このときシームレス再生するときには現在番号及び現在時刻に基づいており、また、ジャンプ再生するときにはタイトルセットサーチ、タイトルサーチ、トラックサーチ、インデックスサーチ、ハイライトサーチのサーチ情報に基づいている。
【００３３】
これに対し、この第２の実施形態のオーディオディスクでは、ＤＶＤビデオディスクプレーヤを用いて再生可能なように、その基本フォーマットは図１（ａ）に示すＤＶＤビデオ規格に基づいて構成されている。そして、ＶＣＢユニット（ＶＣＢＵ）は図９に示すようにＡ−ＣＯＮＴパックは含まず、先頭のＣＯＮＴパックと、比較的多い数のＡパックと比較的少ない数のＶパックにより構成されている。また、このＡＣＢＵはＶパックの後の最初のＡパックを先頭としてＶＣＢＵと略同じ間隔の０．４〜１．０秒分の任意の数のパックにより構成されている。ここで、ＶＣＢＵはＤＶＤビデオ規格ではＶＯＢＵとも呼ばれている。
【００３４】
そして、ＡＣＢＵがＡ−ＣＯＮＴパックを含まないので、第１の実施形態においてＡ−ＣＯＮＴパック内に含まれていたＡＣＤパケットとＡＳＤパケットは図１（ａ）に示すＶＭＧ（ビデオマネージャ）とＶＴＳ（ビデオタイトルセット）の一方又は両方に配置される。又は、図１（ａ）の破線で示すように、ＶＭＧとＶＴＳに対応して追加され、併設されたＡＭＧとＡＴＳの両方に配置される。これらＡＭＧ、ＡＴＳは、図１（ｂ）に示したＡＭＧ、ＡＴＳと同じ機能を持つので説明は省略する。
【００３５】
ここで、第１の実施形態のＡＣＤパケットは、ＡＣＢユニット毎（０．５〜１．０秒毎）に１つ設けられるＡ−ＣＯＮＴパック内に設けられているので多数の画面分のデータを収容することができるが、第２の実施形態ではＶＭＧ（ビデオマネージャ）やＶＴＳ（ビデオタイトルセット）に収容するので、収容データ量が制限され、したがって、曲毎や楽章毎のタイトル名などのみの比較的少ないデータ量で収容される。また、以下に詳しく示すオーディオ再生制御情報も１種類程度で収容してもよい。
【００３６】
また、このＡＣＤパケット内のＡＣＤエリアは第１の実施形態（図５）のように第１の言語の文字「１」と第２の言語の文字「２」のデータを有するように構成してもよいが、代わりに図１０に示すように文字「２」に関するデータを省略して、４８バイトのジェネラル情報エリアと、例えば図６に示すような楽曲名などのいわゆる「オーディオ・ナビゲーション」を表示するための１つの言語の文字「１」に関する２９４バイトのエリアと２９４バイトのオーディオ再生制御情報エリアにより構成してもよい。文字「１」のエリアは、第１の実施形態と同様に９３バイトのネームスペースエリアと、各々９３バイトの２つのフリースペースエリアと、１５バイトのデータポインタエリアにより構成されている。
【００３７】
オーディオ再生制御情報エリアの内容は任意であり、例えば各々２５バイトの１０種類分のオーディオ再生制御情報エリア（２５０バイト）と４４バイトの保留エリアにより構成される。これらのオーディオ再生制御情報は、Ａパックに配置されている楽曲をユーザが再生する場合に、例えばその楽曲のジャンル（クラシック、ジャズ、ロック、ＢＧＭ）に応じて、また、同一ジャンルであってもその楽曲の演奏状態、録音状態、雰囲気などに応じて再生時の音質が最も良くなるようにいわゆるプロのミキサが推奨するデータである。保留エリアにはオーディオ信号のチャネル数が６の場合、チャネル数を２にミクスダウンしてステレオ再生できるようなミキシング係数を収納させる。
【００３８】
また、Ａパックをシームレス再生するときにはＣＯＮＴパックを用いるので、ＡＳＤは図１１に示すように、第１の実施形態（図７）における８バイトの現在の番号情報と１６バイトの現在時刻情報が省略され、その分が保留エリア（７６バイト）として用いられている。このため、第１の実施形態のようにきめ細かい表示や再生制御はできないが、ＤＶＤビデオディスクプレーヤが再生できるので、第１の実施形態のようにＤＶＤオーディオディスクプレーヤのみが再生でき、ＤＶＤビデオディスクプレーヤが再生できないディスクが普及するまでの過渡期において有効なオーディオディスクを実現することができる。
【００３９】
次に図１２を参照してＣＯＮＴパックの構成について詳しく説明する。このＣＯＮＴパックはＤＶＤビデオ規格ではナビゲーション・パック、通称ナビ（ＮＶ）パックと呼ばれており、１４バイトのパックヘッダと、２４バイトのシステムヘッダと、ＰＣＩ（プレゼンテーション・コントロール・インフォメーション）パケットとＤＳＩ（データ・サーチ・インフォメーション）パケットにより構成されている。ＰＣＩは再生制御情報と呼ばれており、このＰＣＩパケットは６バイトのパケットヘッダと、１バイトのサブストリームＩＤと図１３に詳しく示す９７９バイトのＰＣＩデータにより構成され（合計９８６バイト）、また、ＤＳＩパケットは６バイトのパケットヘッダと、１バイトのサブストリームＩＤと図１６に詳しく示すＤＳＩデータにより構成されている（合計１０２４バイト）。
【００４０】
ＰＣＩデータはＶＯＢＵの再生を制御するナビゲーション・データであり、図１３に詳しく示すように６０バイトのＰＣＩ一般情報（ＰＣＩ  ＧＩ）と、３６バイトの非シームレス用アングル情報（ＮＳＭＬ  ＡＧＬＩ）と、６９４バイトのハイライト情報（ＨＬＩ）と１８９バイトの記録情報（ＲＥＣＩ）の４つの情報により構成されている。
【００４１】
ＰＣＩ一般情報は図１４に詳しく示すように、
・４バイトの「ＮＶパック（＝ＣＯＮＴパック）のＬＢＮ」（ＮＶ  ＰＣＫ  ＬＢＮ）と、
・２バイトの「ＶＯＢＵのカテゴリ」（ＶＯＢＵ  ＣＡＴ）と、
・２バイトの保留エリアと、
・４バイトの「ＶＯＢＵのユーザ操作制御情報」（ＶＯＢＵ  ＵＯＰ  ＣＴＬ）と、
・４バイトの「ＶＯＢＵの開始ＰＴＭ」（ＶＯＢＵ  Ｓ  ＰＴＭ）と、
・４バイトの「ＶＯＢＵの終了ＰＴＭ」（ＶＯＢＵ  Ｅ  ＰＴＭ）と、
・４バイトの「ＶＯＢＵ内シーケンス・エンドの終了ＰＴＭ」（ＶＯＢＵ  ＳＥＳ  ＰＴＭ）と、
・４バイトの「セル内経過時間」（Ｃ  ＥＬＴＭ）と
・３２バイトの保留エリアにより構成されている。
【００４２】
「ＮＶパックのＬＢＮ」（ＮＶ  ＰＣＫ  ＬＢＮ）には、本ＰＣＩが含まれるＮＶパックのアドレスが本ＰＣＩが含まれるＶＯＢＳの先頭ＬＢからＲＬＢＮで記述されており、また、「ＶＯＢＵのカテゴリ」（ＶＯＢＵ  ＣＡＴ）には、本ＶＯＢＵのアナログ・プロテクション・システム（ＡＰＳ）の状態が記述されている。
【００４３】
図１３に示した非シームレス用アングル情報（ＮＳＭＬ  ＡＧＬＩ）は、アングル変更時の行き先アドレスに関する情報であり、また、アングル・セル変更が非シームレスに変更されるとき、すなわちシームレス・アングル変更フラグが「非シームレス」に設定されている場合のみ、有効である。図１３に示したハイライト情報（ＨＬＩ）はサブピクチャ表示領域内の一矩形領域をハイライトする情報であり、この情報に基づいて特定矩形領域内のビデオとサブピクチャの色の混合比（コントラスト）を変更することができる。また、各サブピクチャ・ストリームのサブピクチャ・ユニット（ＳＰＵ）の再生期間は、ハイライト情報（ＨＬＩ）の有効期間と同一である。
【００４４】
図１３に示した記録情報（ＲＥＣＩ）は図１５に詳しく示すように、
・１０バイトの「ビデオストリーム内のビデオデータのＩＳＲＣ」（ＩＳＲＣ  Ｖ）と、
・１０バイトの「デコーディング・オーディオ・ストリーム＃０内オーディオデータのＩＳＲＣ」（ＩＳＲＣ  Ａ０）と、
・１０バイトの「デコーディング・オーディオ・ストリーム＃１内オーディオデータのＩＳＲＣ」（ＩＳＲＣ  Ａ１）と、
・１０バイトの「デコーディング・オーディオ・ストリーム＃２内オーディオデータのＩＳＲＣ」（ＩＳＲＣ  Ａ２）と、
・１０バイトの「デコーディング・オーディオ・ストリーム＃３内オーディオデータのＩＳＲＣ」（ＩＳＲＣ  Ａ３）と、
・１０バイトの「デコーディング・オーディオ・ストリーム＃４内オーディオデータのＩＳＲＣ」（ＩＳＲＣ  Ａ４）と、
・１０バイトの「デコーディング・オーディオ・ストリーム＃５内オーディオデータのＩＳＲＣ」（ＩＳＲＣ  Ａ５）と、
・１０バイトの「デコーディング・オーディオ・ストリーム＃６内オーディオデータのＩＳＲＣ」（ＩＳＲＣ  Ａ６）と、
・１０バイトの「デコーディング・オーディオ・ストリーム＃７内オーディオデータのＩＳＲＣ」（ＩＳＲＣ  Ａ７）と、
・１０バイトの「デコーディング・ＳＰストリーム＃０、＃８、＃１６又は＃２４内ＳＰデータのＩＳＲＣ」（ＩＳＲＣ  ＳＰ０）と、
・１０バイトの「デコーディング・ＳＰストリーム＃１、＃９、＃１７又は＃２５内ＳＰデータのＩＳＲＣ」（ＩＳＲＣ  ＳＰ１）と、
・１０バイトの「デコーディング・ＳＰストリーム＃２、＃１０、＃１８又は＃２６内ＳＰデータのＩＳＲＣ」（ＩＳＲＣ  ＳＰ２）と、
・１０バイトの「デコーディング・ＳＰストリーム＃３、＃１１、＃１９又は＃２７内ＳＰデータのＩＳＲＣ」（ＩＳＲＣ  ＳＰ３）と、
・１０バイトの「デコーディング・ＳＰストリーム＃４、＃１２、＃２０又は＃２８内ＳＰデータのＩＳＲＣ」（ＩＳＲＣ  ＳＰ４）と、
・１０バイトの「デコーディング・ＳＰストリーム＃５、＃１３、＃２１又は＃２９内ＳＰデータのＩＳＲＣ」（ＩＳＲＣ  ＳＰ５）と、
・１０バイトの「デコーディング・ＳＰストリーム＃６、＃１４、＃２２又は＃３０内ＳＰデータのＩＳＲＣ」（ＩＳＲＣ  ＳＰ６）と、
・１０バイトの「デコーディング・ＳＰストリーム＃７、＃１５、＃２３又は＃３１内ＳＰデータのＩＳＲＣ」（ＩＳＲＣ  ＳＰ７）と、
・１バイトの「ＩＳＲＣ用に選択されたＳＰストリームのグループ」（ＩＳＲＣＳＰ  ＳＥＬ）と、
・１８バイトの保留エリアにより構成されている。
【００４５】
図１２に示したデータサーチ情報（ＤＳＩ）はデータをサーチして、ＶＯＢＵのシームレス再生を実行するためのナビゲーションデータであり、図１６に詳しく示すように
・３２バイトのＤＳＩ一般情報（ＤＳＩ  ＧＩ）と、
・１４８バイトのシームレス再生情報（ＳＭＬ  ＰＢＩ）と、
・５４バイトのシームレス用アングル情報（ＳＭＬ  ＡＧＬＩ）と、
・１６８バイトのＶＯＢＵサーチ情報（ＶＯＢＵ  ＳＲＩ）と、
・１４４バイトの同期情報（ＳＹＮＣＩ）と、
・４７１バイトの保留エリアにより構成されている。
【００４６】
ＤＳＩ一般情報（ＤＳＩ  ＧＩ）は図１７に詳しく示すように
・４バイトの「ＮＶ  ＰＣＫのＳＣＲベース（base）」（ＮＶ  ＰＣＫ  ＳＣＲ）と、
・４バイトの「ＮＶ  ＰＣＫのＬＢＮ」（ＮＶ  ＰＣＫ  ＬＢＮ）と、
・４バイトの「ＶＯＢＵの終了アドレス」（ＶＯＢＵ  ＥＡ）と、
・４バイトの「ＶＯＢＵの第１リファレンス・ピクチャの終了アドレス」（ＶＯＢＵ  １ＳＴＲＥＦ  ＥＡ）と、
・４バイトの「ＶＯＢＵの第２リファレンス・ピクチャの終了アドレス」（ＶＯＢＵ  ２ＮＤＲＥＦ  ＥＡ）と、
・４バイトの「ＶＯＢＵの第３リファレンス・ピクチャの終了アドレス」（ＶＯＢＵ  ３ＲＤＲＥＦ  ＥＡ）と、
・２バイトの「ＶＯＢＵのＶＯＢ  ＩＤ番号」（ＶＯＢＵ  ＶＯＢ  ＩＤＮ）と、
・１バイトの保留エリアと、
・１バイトの「ＶＯＢＵのセルＩＤ番号」（ＶＯＢＵ  Ｃ  ＩＤＮ）と、
・４バイトの「セル経過時間」（Ｃ  ＥＬＴＭ）により構成されている。
【００４７】
図１６に示したシームレス再生情報（ＳＭＬ  ＰＢＩ）は、図１８に詳しく示すように
・２バイトの「シームレスＶＯＢＵのカテゴリ」（ＶＯＢＵ  ＳＭＬ  ＣＡＴ）と、
・４バイトの「インタリーブド・ユニットの終了アドレス」（ＩＬＶＵ  ＥＡ）と、
・４バイトの「次のインタリーブド・ユニットの開始アドレス」（ＮＸＴ  ＩＬＶＵ  ＳＡ）と、
・２バイトの「次のインタリーブド・ユニットのサイズ」（ＮＸＴ  ＩＬＶＵ  ＳＺ）と、
・４バイトの「ＶＯＢ内のビデオの開始ＰＴＭ」（ＶＯＢ  Ｖ  Ｓ  ＰＴＭ）と、
・４バイトの「ＶＯＢ内のビデオの終了ＰＴＭ」（ＶＯＢ  Ｖ  Ｅ  ＰＴＭ）と、
・８バイト×８の「ＶＯＢ内のオーディオの終了ＰＴＭ」（ＶＯＢ  Ａ  ＳＴＰＰＴＭ）と、
・８バイト×８の「ＶＯＢ内のオーディオのギャップ長」（ＶＯＢ  Ａ  ＧＡＰＬＥＮ）により構成されている。
【００４８】
図１６に示したシームレス用アングル情報は、図１９に示すようにアングル変更時の行き先アドレスに関する情報であり、アングル変更がシームレスで実行される場合、すなわちシームレス・アングル変更フラグが「シームレス」に設定されている場合にのみ、有効である。
【００４９】
図１６に示したＶＯＢＵサーチ情報（ＶＯＢＵ  ＳＲＩ）には、図２０に示すようにこのセルで、本ＤＳＩが含まれるＶＯＢＵの再生開始時刻の前後０．５×ｎ秒に再生されるＶＯＢＵの先頭アドレスが記述され、また、１つのセル内でのみ有効である。この情報は図２１に詳しく示すように、
・４バイトの「ビデオデータの持つ次のＶＯＢＵ先頭アドレス」（ＦＷＤＩ  ＶＩＤＥＯ）と、
・４バイトの「＋２４０ＶＯＢＵ先頭アドレスとビデオ存在フラグ」（ＦＷＤＩ２４０）と、
・４バイトの「＋１２０ＶＯＢＵ先頭アドレスとビデオ存在フラグ」（ＦＷＤＩ１２０）と、
・４バイトの「＋６０ＶＯＢＵ先頭アドレスとビデオ存在フラグ」（ＦＷＤＩ  ６０）と、
・４バイトの「＋２０ＶＯＢＵ先頭アドレスとビデオ存在フラグ」（ＦＷＤＩ  ２０）と、
・４バイトの「＋１５ＶＯＢＵ先頭アドレスとビデオ存在フラグ」（ＦＷＤＩ  １５）と、
・４バイトの「＋１４ＶＯＢＵ先頭アドレスとビデオ存在フラグ」（ＦＷＤＩ  １４）と、
・４バイトの「＋１３ＶＯＢＵ先頭アドレスとビデオ存在フラグ」（ＦＷＤＩ  １３）と、
・４バイトの「＋１２ＶＯＢＵ先頭アドレスとビデオ存在フラグ」（ＦＷＤＩ  １２）と、
・４バイトの「＋１１ＶＯＢＵ先頭アドレスとビデオ存在フラグ」（ＦＷＤＩ  １１）と、
・４バイトの「＋１０ＶＯＢＵ先頭アドレスとビデオ存在フラグ」（ＦＷＤＩ  １０）と、
・４バイトの「＋９ＶＯＢＵ先頭アドレスとビデオ存在フラグ」（ＦＷＤＩ  ９）と、
・４バイトの「＋８ＶＯＢＵ先頭アドレスとビデオ存在フラグ」（ＦＷＤＩ  ８）と、
・４バイトの「＋７ＶＯＢＵ先頭アドレスとビデオ存在フラグ」（ＦＷＤＩ  ７）と、
・４バイトの「＋６ＶＯＢＵ先頭アドレスとビデオ存在フラグ」（ＦＷＤＩ  ６）と、
・４バイトの「＋５ＶＯＢＵ先頭アドレスとビデオ存在フラグ」（ＦＷＤＩ  ５）と、
・４バイトの「＋４ＶＯＢＵ先頭アドレスとビデオ存在フラグ」（ＦＷＤＩ  ４）と、
・４バイトの「＋３ＶＯＢＵ先頭アドレスとビデオ存在フラグ」（ＦＷＤＩ  ３）と、
・４バイトの「＋２ＶＯＢＵ先頭アドレスとビデオ存在フラグ」（ＦＷＤＩ  ２）と、
・４バイトの「＋１ＶＯＢＵ先頭アドレスとビデオ存在フラグ」（ＦＷＤＩ  １）と、
・４バイトの「次のＶＯＢＵ先頭アドレスとビデオ存在フラグ」（ＦＷＤＩ  Ｎｅｘｔ）と、
・４バイトの「前のＶＯＢＵ先頭アドレスとビデオ存在フラグ」（ＢＷＤＩ  Ｐｒｅｖ）と、
・４バイトの「−１ＶＯＢＵ先頭アドレスとビデオ存在フラグ」（ＢＷＤＩ  １）と、
・４バイトの「−２ＶＯＢＵ先頭アドレスとビデオ存在フラグ」（ＢＷＤＩ  ２）と、
・４バイトの「−３ＶＯＢＵ先頭アドレスとビデオ存在フラグ」（ＢＷＤＩ  ３）と、
・４バイトの「−４ＶＯＢＵ先頭アドレスとビデオ存在フラグ」（ＢＷＤＩ  ４）と、
・４バイトの「−５ＶＯＢＵ先頭アドレスとビデオ存在フラグ」（ＢＷＤＩ  ５）と、
・４バイトの「−６ＶＯＢＵ先頭アドレスとビデオ存在フラグ」（ＢＷＤＩ  ６）と、
・４バイトの「−７ＶＯＢＵ先頭アドレスとビデオ存在フラグ」（ＢＷＤＩ  ７）と、
・４バイトの「−８ＶＯＢＵ先頭アドレスとビデオ存在フラグ」（ＢＷＤＩ  ８）と、
・４バイトの「−９ＶＯＢＵ先頭アドレスとビデオ存在フラグ」（ＢＷＤＩ  ９）と、
・４バイトの「−１０ＶＯＢＵ先頭アドレスとビデオ存在フラグ」（ＢＷＤＩ  １０）と、
・４バイトの「−１１ＶＯＢＵ先頭アドレスとビデオ存在フラグ」（ＢＷＤＩ  １１）と、
・４バイトの「−１２ＶＯＢＵ先頭アドレスとビデオ存在フラグ」（ＢＷＤＩ  １２）と、
・４バイトの「−１３ＶＯＢＵ先頭アドレスとビデオ存在フラグ」（ＢＷＤＩ  １３）と、
・４バイトの「−１４ＶＯＢＵ先頭アドレスとビデオ存在フラグ」（ＢＷＤＩ  １４）と、
・４バイトの「−１５ＶＯＢＵ先頭アドレスとビデオ存在フラグ」（ＢＷＤＩ  １５）と、
・４バイトの「−２０ＶＯＢＵ先頭アドレスとビデオ存在フラグ」（ＢＷＤＩ  ２０）と、
・４バイトの「−６０ＶＯＢＵ先頭アドレスとビデオ存在フラグ」（ＢＷＤＩ  ６０）と、
・４バイトの「−１２０ＶＯＢＵ先頭アドレスとビデオ存在フラグ」（ＢＷＤＩ１２０）と、
・４バイトの「−２４０ＶＯＢＵ先頭アドレスとビデオ存在フラグ」（ＢＷＤＩ２４０）と、
・４バイトの「ビデオデータを持つ前のＶＯＢＵの先頭アドレス」（ＢＷＤＩ  ＶＩＤＥＯ）により構成されている。
【００５０】
図１６に示した同期情報（ＳＹＮＣＩ）は、本ＤＳＩが含まれるＶＯＢＵのビデオデータと同期して再生されるオーディオデータとサブピクチャデータのアドレス情報であり、図２２に詳しく示すように
・２バイト×８の「対象オーディオ・パック（Ａ  ＰＣＫ）のアドレス」（Ａ  ＳＹＮＣＡ  ０  to  ７）と
・４バイト×３２の「対象サブピクチャ・パック（ＳＰ  ＰＣＫ）用ＶＯＢＵ先頭アドレス」（ＳＰ  ＳＹＮＣＡ  ０  to  ３１）により構成されている。
【００５１】
次に第１、第２の実施形態のディスク識別子について説明する。ＤＶＤの記録エリアは、図２３に示すように概略的にリードインエリアとデータエリアにより構成されている。また、ＤＶＤのリードインエリアは
・リードインスタートからセクタ番号「０２Ｆ０００ｈ」の前までのオール００ｈのブロックと、
・セクタ番号「０２Ｆ０００ｈ」からセクタ番号「０２Ｆ０２０ｈ」の前までの２ブロック分のリファレンスコードブロックと、
・セクタ番号「０２Ｆ０２０ｈ」からセクタ番号「０２Ｆ２００ｈ」の前までの３０ブロック分のオール００ｈのブロックと、
・セクタ番号「０２Ｆ２００ｈ」からセクタ番号「０２ＦＥ００ｈ」の前までの１９２ブロック分のコントロールデータブロックと、
・セクタ番号「０２ＦＥ００ｈ」からセクタ番号「０３００００ｈ」の前までの３２ブロック分のオール００ｈのブロックにより構成されている。
【００５２】
また、データエリアの先頭（セクタ番号「０３００００ｈ」）からはＩＳＯ９６６０とマイクロＵＤＦ（ユニバーサル・ディスク・フォーマット）のデータが記録され、次にオーディオタイトルセット（ＴＳ）、ビデオＴＳ、コンピュータＴＳなどが記録される。
【００５３】
上記のリードインエリアにおけるコントロールデータブロックは図２４に示すように、フィジカル・フォーマット・インフォメーションのセクタと、ディスク製造インフォメーションのセクタと、著作権インフォメーションのセクタにより構成されている。また、フィジカル・フォーマット・インフォメーションのセクタは図２５に示すように、ブックタイプ及びパートバージョンのエリアと、ディスクサイズ及びミニマムリードアウトレートのエリアと、ディスク構造のエリアと、記録密度のエリアと、データエリアアロケーションのエリアなどにより構成されている。
【００５４】
そして、ブックタイプ及びパートバージョンのエリアはディスク識別子として割り当てられ、その上位ビットにより、
・「ＤＶＤ−ＲＯＭディスク」か、
・「ＤＶＤ−ＲＡＭディスク」か又は
・「ＤＶＤ−Write Onceディスク」かが示され、更に「ＤＶＤ−ＲＯＭディスク」の場合には、下位ビットにより
・「コンピュータプログラム・ディスク」か、
・「純粋ビデオ・ディスク」か、
・「ビデオ＋オーディオ・ナビゲーション・ディスク：Ｖａｎ−ディスク」か
・「オーディオ・ディスク」か又は
・「オーディオ・ディスク・タイプ２」か
を示す識別子が記述される。
【００５５】
したがって、このブックタイプ及びパートバージョンにより、第１の実施形態に係るディスクには「ＤＶＤ−ＲＯＭ−オーディオディスク」を示すディスク識別子が記述され、また、第２の実施形態に係るディスクには「ＤＶＤ−ＲＯＭ−Ｖａｎ−ディスク」を示すディスク識別子が記述される。また、「ＤＶＤ−ＲＯＭ−純粋ビデオ・ディスク」のリードインエリアには曲や楽章の頭出し情報などのＴＯＣ情報が設けられていないが、第１の実施形態の「ＤＶＤ−ＲＯＭ−オーディオディスク」と第２の実施形態の「ＤＶＤ−ＲＯＭ−Ｖａｎ−ディスク」のリードインエリアにはこのＴＯＣ情報が設けられる。
【００５６】
したがって、この第２の実施形態によれば、ＶＯＢユニット内のＡパックの数がＶパックより多いので、Ｖパックをディスプレイにより再生する場合には静止画や動きが少ない動画となるが、ＶＯＢユニット内のＡパックをＤＶＤビデオ規格のＣＯＮＴパック（ＮＶパック）に基づいて再生することができるので、ＤＶＤビデオプレーヤが再生することができる。
【００５７】
ところで、オーディオデータをタイトル、トラック、インデックスの３階層に記録してサーチしたり、ランダムアクセス可能にすると便利な反面、ＴＯＣ情報が煩雑になる問題が発生する。また、ＴＯＣ情報を利用して簡易な再生を行う場合にオーディオデータのサンプリング周波数などが特定できないと再生に移行することができないという問題が発生する。ＤＶＤビデオディスクに採用されているリードインエリアにＴＯＣ情報を記録する場合、このＴＯＣ情報についてもＤＶＤビデオとの互換性と、それ自身のアクセス性の利便性を考慮しないと普及の妨げになる問題が発生する。
【００５８】
そこで、ＴＯＣ情報をＡＴＳ順にトラック単位で配列して構成することにより、効率的にデータ管理することができる。また、このＴＯＣ情報内にトラック毎にオーディオデータのサンプリング周波数や量子化ビット数を収納することにより、ＴＯＣ情報を利用して簡易な再生を行う場合に直ぐに再生に移行することができる。さらに、ＴＯＣ情報をＤＶＤビデオディスクに採用されているリードインエリア内のコントロールデータブロックの著作権インフォメーションの空きエリア（リザーブエリア）にも記録する。
【００５９】
また、図２４に示したように、ＤＶＤのリードインエリア内のコントロールデータブロックのセクタ番号「２」〜「１５」は著作権インフォメーション用として確保されているので、一例としてこの中のリザーブ領域（セクタ番号「８」〜「１５」）内にＴＯＣ情報を配置する。
【００６０】
図２６はこのＴＯＣ情報の具体例を示している。このＴＯＣ情報はＳＡＰＰ（シンプルオーディオプレイポインタ）と呼ばれ、
・１６バイトのシンプルオーディオプレイポインタテーブルインフォメーション（ＳＡＰＰＴＩ）と、
・各々が４８バイトのｎ個のシンプルオーディオプレイポインタ＃１〜＃ｎ（ＳＡＰＰ＃１〜＃ｎと
により構成されている。ＳＡＰＰＴＩは１２バイトのＳＡＰＰＴＩアイデンティファイヤと、２バイトのＳＡＰＰ数と２バイトのＳＡＰＰＴＩエンドアドレスにより構成されている。
【００６１】
ＳＡＰＰ＃１〜＃ｎはそれぞれ４８バイトで構成され、その内訳は図２７に示すように、
・１バイトのＳＡＰＰのタイトル番号と、
・１バイトのＳＡＰＰのトラック番号と、
・４バイトの、ＳＡＰＰで指されたトラックの最初のセルのスタートプレゼンテーション時間と、
・４バイトの、ＳＡＰＰで指されたトラックの再生時間と、
・４バイトの、ＳＡＰＰで指されたトラックのポーズ時間と、
・図２８に詳しく示すように４バイトの、ＳＡＰＰで指されたトラックの属性（ＳＡＰＰ−ＡＴＲ）と、
・１８バイトのリザーブ（保留）領域と、
・４バイトの、ＳＡＰＰで指されたトラックのスタートアドレスと、
・４バイトの、ＳＡＰＰで指されたトラックの最初のセルのスタートアドレスと、
・４バイトの、ＳＡＰＰで指されたトラックのエンドアドレスと
により構成されている。
【００６２】
また、上記の４バイト（３２ビットｂ３１〜ｂ０）のトラック属性（ＳＡＰＰ−ＡＴＲ）として、図２８に示すように量子化ビット数Ｑを４ビット（ｂ２３〜ｂ２０）で記録し、サンプリング周波数ｆｓを４ビット（ｂ１５〜ｂ１２）で記録し、デコーディングオーディオストリーム番号を３ビット（ｂ７〜ｂ５）で記録する。そして、このＳＡＰＰ情報を更に、トラック（楽章）をｎ個に分割してトラックに属するアルバム番号と共に記録する。
【００６３】
次に図２９、図３０を参照して第３の実施形態のディスクについて説明する。図２９は第３の実施形態のディスクＤＶＤ−ＲＯＭ−オーディオディスクタイプ２を示し、このフォーマットは概略的にＤＶＤ−ビデオデータとしてビデオタイトルセット（ＶＴＳ）と、ＤＶＤ−オーディオデータとしてオーディオタイトルセット（ＡＴＳ）により構成されている。また、詳しくは、ＶＴＳは図１（ａ）に示すビデオマネージャ（ＶＭＧ）と、ビデオ及びオーディオのビデオマネージャメニュー（ＶＭＧＭ）と、ＶＭＧ内のＶＭＧＩにより管理されるＶＴＳ＜１＞により構成されている。
【００６４】
他方、ＡＴＳは図１（ｂ）に示すオーディオマネージャ（ＡＭＧ）と、ビデオ及びオーディオのオーディオマネージャメニュー（ＡＭＧＭ）と、ＶＴＳ側のＶＴＳ＜１＞内のオーディオデータと対を成し、かつＡＭＧ内のＡＭＧＩにより管理されるＡＴＳ＜１＞と、ＶＴＳ側とは対をなさず、同じくＡＭＧ内のＡＭＧＩにより管理されるＡＴＳ＜２＞により構成されている。また、このＡＴＳ＜２＞は図３０に示すように、Ａ−ＣＯＮＴパックを含まず、Ａパックのみにより構成されている。なお、ビデオタイトルセット（ＶＴＳ）を省略して、オーディオタイトルセット（ＡＴＳ）のみにより構成してよい。また、コンピュータプログラムタイトルセット（ＣＴＳ）を追加して構成してよい。
【００６５】
この第３の実施形態のディスクにおけるリードインエリアは、図２５に示すブックタイプ及びパートバージョンにより「ＤＶＤ−ＲＯＭ−オーディオディスクタイプ２」を示すディスク識別子が記述されることを除き、第２の実施形態と同一である。したがって、このディスクはＤＶＤビデオプレーヤにより再生はできず、専用のプレーヤにより再生できるフォーマットであるが、ＴＯＣ情報をＤＶＤビデオディスクに採用されているリードインエリア内のコントロールデータブロックの著作権インフォメーションの空きエリア（リザーブエリア）にも記録するので、簡易再生を行うことができる。また、第２の実施形態と同様に、ＴＯＣ情報をＡＴＳ順にトラック単位で配列して構成することにより、効率的にデータ管理することができ、さらに、このＴＯＣ情報内にトラック毎にオーディオデータのサンプリング周波数や量子化ビット数を収納することにより、ＴＯＣ情報を利用して簡易な再生を行う場合に直ぐに再生に移行することができる。なお、各実施形態においてＴＯＣ情報は、リードインエリア内に記録する外に、図３１（ａ）あるいは図３１（ｂ）のように、ＡＭＧやＡＴＳのような管理エリア内、あるいはパック内に記録するようにしてもよい。
【００６６】
【発明の効果】
以上説明したように本発明によれば、即座に曲にアクセスすることができるようになった。この点、従来の記録方法によるデータ構造では、ＡＭＧによって再生制御情報を作成することによって曲の順番の決定や曲へのアクセスを行っていたため手間と時間がかかっていた。
また、ＴＯＣ情報を主信号の記憶領域にも配置できるため、オーディオデータと共に伝送する場合に好適である。すなわち、ＤＶＤビデオと同様に補助信号の記憶領域であるリードインエリアを切り離して伝送しても問題を生じないという効果がある。
また、トラックのスタートアドレスと再生時間を配置したので即座にトラックにアクセスすることが可能になる。
【図面の簡単な説明】
【図１】ＤＶＤ−ビデオのフォーマットと、本発明に適用されるＤＶＤ−オーディオのフォーマットの一実施形態を示す説明図である。
【図２】図１のオーディオコンテンツブロックユニットを示す説明図である。
【図３】図２のオーディオパックとビデオパックのフォーマットを詳しく示す説明図である。
【図４】図２のオーディオコントロールパックのフォーマットを詳しく示す説明図である。
【図５】図４のオーディオキャラクタディスプレイ（ＡＣＤ）エリアのフォーマットを詳しく示す説明図である。
【図６】図５のネームスペース情報により表示される例を示す説明図である。
【図７】図４のオーディオサーチデータエリアのフォーマットを詳しく示す説明図である。
【図８】図１のオーディオコンテンツブロックユニットの他の構成例を示す説明図である。
【図９】第２の実施形態のＡＣＢＵ及びＶＣＢＵを示す説明図である。
【図１０】第２の実施形態のＡＣＤ（オーディオキャラクタディスプレイ）情報の他の例を示す説明図である。
【図１１】第２の実施形態のＡＳＤ（オーディオサーチデータ）を示す説明図である。
【図１２】図９のＣＯＮＴパックを詳しく示す説明図である。
【図１３】図１２のＰＣＩデータを詳しく示す説明図である。
【図１４】図１３のＰＣＩ一般情報を詳しく示す説明図である。
【図１５】図１３の記録情報を詳しく示す説明図である。
【図１６】図１２のＤＳＩデータを詳しく示す説明図である。
【図１７】図１６のＤＳＩ一般情報を詳しく示す説明図である。
【図１８】図１６のシームレス再生情報を詳しく示す説明図である。
【図１９】図１６のシームレス用アングル情報によるシームレス・アングル変更の概念を示す説明図である。
【図２０】図１６のＶＯＢＵサーチ情報の一例を示す説明図である。
【図２１】図１６のＶＯＢＵサーチ情報を詳しく示す説明図である。
【図２２】図１６の同期情報を詳しく示す説明図である。
【図２３】第１、第２の実施形態のリードインエリアの構成を示す説明図である。
【図２４】図２３のコントロールデータブロックを詳しく示す説明図である。
【図２５】図２４のフィジカル・フォーマット・インフォメーションを詳しく示す説明図である。
【図２６】図２４の著作権インフォメーションエリアに記録されるＴＯＣ情報の具体例を示す説明図である。
【図２７】図２４の著作権インフォメーションエリアに記録されるＴＯＣ情報を詳しく示す説明図である。
【図２８】図２７の属性情報を詳しく示す説明図である。
【図２９】第３の実施形態のディスクの基本フォーマットを示す説明図である。
【図３０】第３の実施形態のオーディオタイトルセット（ＡＴＳ）の一部を示す説明図である。
【図３１】ＤＶＤ−ビデオのフォーマットと、本発明に係るＤＶＤ−オーディオのフォーマットの他の実施形態を示す説明図である。
【符号の説明】
Ａ  オーディオパック（第１のパック）
ＡＣＢ  オーディオコンテンツブロック
ＡＣＢＳ  オーディオコンテンツブロックセット
ＡＣＢＵ  オーディオコンテンツブロックユニット
ＡＭＧ  オーディオマネージャ
ＡＴＳ  オーディオタイトルセット
ＡＴＳＩ  オーディオタイトルセットインフォメーション
Ａ−ＣＯＮＴ  オーディオコントロールパック（第３のパック）
ＣＯＮＴ  ナビゲーションコントロールパック（第４のパック）
Ｖ  ビデオパック（第２のパック）
【図１】
0003758171.tif 000002
【図２】
0003758171.tif 000003
【図３】
0003758171.tif 000004
【図４】
0003758171.tif 000005
【図５】
0003758171.tif 000006
【図６】
0003758171.tif 000007
【図７】
0003758171.tif 000008
【図８】
0003758171.tif 000009
【図９】
0003758171.tif 000010
【図１０】
0003758171.tif 000011
【図１１】
0003758171.tif 000012
【図１２】
0003758171.tif 000013
【図１３】
0003758171.tif 000014
【図１４】
0003758171.tif 000015
【図１５】
0003758171.tif 000016
【図１６】
0003758171.tif 000017
【図１７】
0003758171.tif 000018
【図１８】
0003758171.tif 000019
【図１９】
0003758171.tif 000020
【図２０】
0003758171.tif 000021
【図２１】
0003758171.tif 000022
【図２２】
0003758171.tif 000023
【図２３】
0003758171.tif 000024
【図２４】
0003758171.tif 000025
【図２５】
0003758171.tif 000026
【図２６】
0003758171.tif 000027
【図２７】
0003758171.tif 000028
【図２８】
0003758171.tif 000029
【図２９】
0003758171.tif 000030
【図３０】
0003758171.tif 000031
【図３１】
0003758171.tif 000032